(57)【要約】【課題】テーパードブリッスル束内の単糸がバラケるのを防止して、先端テーパー化部を合理的、経済的に保護することができ、かつ植毛加工などの後工程へ効率的に供することが可能なテーパードブリッスル束の収納容器を提供する。【解決手段】傾斜壁２１側へテーパー部を向けて複数のテーパードブリッスル束１０を収納室２２内に並列させ、各収納室２２の上部から各固定カバー２４を被せることにより、傾斜壁２２と固定カバー２４の側壁とで各テーパードブリッスル束１０を押圧保持するように構成したテーパードブリッスル束の収納容器。【選択図】  図１
2004182322.tif 000002
【特許請求の範囲】
【請求項１】
合成樹脂モノフィラメントカットブリッスルの少なくとも一端にテーパー部を形成したテーパードブリッスルを複数本束ねたテーパードブリッスル束を複数並列させて収納する収納容器であって、箱型のトレーと、このトレーの内部を平行かつ等間隔に仕切る複数の傾斜壁と、これらの傾斜壁により仕切られかつ前記テーパードブリッスル束の複数個を収納する複数の収納室と、これら各収納室に被せる複数の箱型固定カバーとからなり、前記トレーの前記傾斜壁と平行な側壁および前記各傾斜壁は前記トレーの底部から上方に向けて先細りに傾斜し、前記各収納室の底部は前記テーパードブリッスル束の長さに略等しい幅を有し、さらに前記各箱型固定カバーは前記各収納室の底部と略等しい巾および長さを有しており、前記各収納室内に前記傾斜壁側へテーパー部に向けて複数のテーパードブリッスル束を並列させると共に、前記各収納室の上部から前記各箱型固定カバーの開口側を下向きにして被せることにより、前記傾斜壁と前記箱型固定カバーの側壁とで前記各テーパードブリッスル束を押圧保持するように構成したことを特徴とするテーパードブリッスル束の収納容器。
【請求項２】
前記収納容器のトレー、傾斜壁および収納室を合成樹脂により一体的に形成し、箱型固定カバーを厚紙で形成したことを特徴とする請求項１に記載のテーパードブリッスル束の収納容器。
【発明の詳細な説明】
【０００１】
【発明の属する技術分野】
本発明は、合成樹脂モノフィラメントカットブリッスルの少なくとも一端にテーパー部を形成したテーパードブリッスルを複数本束ねたテーパードブリッスル束を保管又は輸送、移送するに際して、テーパードブリッスル束内の単糸がバラケるのを防止しつつ、先端のテーパー化された部分を合理的、経済的に保護することができ、かつ、植毛加工などの後工程へ効率的に供することが可能なテーパードブリッスル束の収納容器に関するものである。
【０００２】
【従来の技術】
合成樹脂モノフィラメントカットブリッスルの少なくとも一端にテーパー部を形成したテーパードブリッスルは、歯ブラシに代表されるブラシの毛先として多用されている。
【０００３】
そして、このテーパードブリッスルは、合成樹脂モノフィラメント、特にポリエステルモノフィラメントを所望の長さに切断したカットブリッスルを、複数本、例えば１００００〜８００００本束ねたカットブリッスル束の片端または両端をアルカリ水溶液に浸漬してテーパー部を形成した後、これを洗浄・乾燥する方法により製造されている（例えば、特許文献１参照）。
【０００４】
ところで、テーパードブリッスル束を保管又は輸送、移送するに際しては、高度にテーパー化されたブリッスルの先端を保護し、且つテーパードブリッスル束内の単糸にバラケが生じないように最善の注意をはらいながら収納、輸送、移送、及び保管をしているのが現状であり、その際の収納方法の一般的な例としては、テーパードブリッスル束のバラケを防止するために、テーパードブリッスル束の一つ一つに集束バンドを掛け、その上からテーパードブリッスル束を保護するために、束の一つ一つを束崩れ防止カバーで覆い、更にその束崩れ防止カバーを固定するために、押さえバンドを掛ける手段がとられていた。前記束崩れ防止カバーとしては、ダンボールシートや緩衝材シート等が使用され、これらで束の周りを覆って保護する。更に、このようにして保護した束の一つ一つに個装袋を被せて包装した束を、一般的な正方形のダンボール箱、或いは合成樹脂で成型された正方形の収納容器に入れて並列させるか、又は卵パックのような個室を設けた合成樹脂で成型された収納容器入れて収納しているのが一般的であった。
【０００５】
しかしながら、上記の収納方法によれば、テーパードブリッスル束のバラケ防止の効果はある程度は認められるものの、いかに収納に注意を払ってたとしても、輸送、移送する際に受ける振動のために、テーパードブリッスル束と集束バンドとの間のズレや、束崩れ防止カバーと個装袋との間の摩擦などが発生し、その結果テーパードブリッスル束の側面の単糸にバラケが生じてしまい、ひどい場合にはテーパー部の欠損などが生じて、製品として価値が低下してしまうという問題があった。このようにテーパードブリッスル束の単糸にバラケが生じてしまった場合には、歯ブラシの毛先として使用する後加工工程、例えば植毛工程などにおいて、束の整え直しを必要とするばかりか、植毛機にセットするのに手間を要することとなり、植毛した後の品質にも悪影響を及ぼすことになっていた。
【０００６】
また、上記した従来の収納方法では、収納に要する材料の種類が多く材料費用がかさむばかりか、収納に要する工程数が多く収納に長時間を費やす必要があることから、コストアップを招いてしまうことも問題視されていた。
【０００７】
【特許文献１】
特開平６−１４１９２３号公報
【０００８】
【発明が解決しようとする課題】
本発明は、上述した従来技術における問題点の解決を課題として鋭意検討した結果、達成されたものである。
【０００９】
したがって、本発明の目的は、テーパードブリッスル束を保管又は輸送、移送するに際して、テーパードブリッスル束内の単糸がバラケるのを防止しつつ、先端のテーパー化された部分を合理的、経済的に保護することができ、かつ、植毛加工などの後工程へ効率的に供することが可能なテーパードブリッスル束の収納容器を提供することにある。
【００１０】
【課題を解決するための手段】
上記の目的を達成するために、本発明のテーパードブリッスル束の収納容器は、合成樹脂モノフィラメントカットブリッスルの少なくとも一端にテーパー部を形成したテーパードブリッスルを複数本束ねたテーパードブリッスル束を複数並列させて収納する収納容器であって、箱型のトレーと、このトレーの内部を平行かつ等間隔に仕切る複数の傾斜壁と、これらの傾斜壁により仕切られかつ前記テーパードブリッスル束の複数個を収納する複数の収納室と、これら各収納室に被せる複数の箱型固定カバーとからなり、前記トレーの前記傾斜壁と平行な側壁および前記各傾斜壁は前記トレーの底部から上方に向けて先細りに傾斜し、前記各収納室の底部は前記テーパードブリッスル束の長さに略等しい幅を有し、さらに前記各箱型固定カバーは前記各収納室の底部と略等しい巾および長さを有しており、前記各収納室内に前記傾斜壁側へテーパー部に向けて複数のテーパードブリッスル束を並列させると共に、前記各収納室の上部から前記各箱型固定カバーの開口側を下向きにして被せることにより、前記傾斜壁と前記箱型固定カバーの側壁とで前記各テーパードブリッスル束を押圧保持するように構成したことを特徴とする。
【００１１】
なお、本発明のテーパードブリッスル束の収納容器においては、前記収納容器のトレー、傾斜壁および収納室を合成樹脂により一体的に形成し、箱型固定カバーを厚紙で形成したことが、好ましい条件として挙げられる。
【００１２】
【発明の実施の形態】
以下に、本発明について、図面にしたがって詳細に説明する。
【００１３】
図１は本発明のテーパードブリッスル束およびその収納容器の一例を示す斜視説明図、図２は本発明の収納容器にテーパードブリッスル束を収納した状態を示す一部切欠き平面図、図３は図２の矢視Ａ一部切欠き断面図、図４は図２の矢視Ｂ一部切欠き断面図である。
【００１４】
図１に示したように、本発明のテーパードブリッスル束の収納容器は、箱型のトレー２０と、このトレー２０の収納室２３の数に対応した複数の箱型固定カバー２４（図１では一つの箱型固定カバー２３のみを示している。）とから基本的に構成されるものである。
【００１５】
そして、この収納容器に収納されるテーパードブリッスル束１０は、合成樹脂モノフィラメントカットブリッスルの少なくとも一端にテーパー部を形成したテーパードブリッスルを、約１００００〜８００００本束ね、これをゴムバンド１２などで集束することにより構成されており、通常はその直径が２５〜７０ｍｍ、長さが２０〜５０ｍｍとなるように設定されている。
【００１６】
本発明のテーパードブリッスル束の収納容器における箱型のトレー２０は、このトレー２０の内部を平行かつ等間隔に仕切る複数、図１では三つの傾斜壁２１と、これらの傾斜壁２１および２１この傾斜壁２１と平行な側壁２３により仕切られかつテーパードブリッスル束１０の複数個を収納する複数、図４では四つの収納室２２とから構成されており、これらの各部は、一般的な合成樹脂、例えばポリエチレンテレフタレートやポリエチレンなどを使用して、容器の厚さが０．３ｍｍ〜０．７ｍｍの範囲となるように一体成形されている。なお、場合によっては、ダンボールのような厚紙材料を用いてトレー２０を作成することもできる。
【００１７】
そして、トレー２０の傾斜壁２１と平行な側壁２３および各傾斜壁２１は、トレー２０の底部から上方に向けて先細りに傾斜している。これら傾斜壁２１および側壁２３の傾斜角度は、垂線に対し１〜１５゜、特に２〜１０゜の範囲に設定することが好ましい。
【００１８】
また、これらの傾斜壁２１により仕切られた各収納室２２の底部は、テーパードブリッスル束１０の長さに略等しい幅を有しており、その長さはここに収納するテーパードブリッスル束１０の直径に応じ、所望の個数のテーパードブリッスル束１０が隙間を形成することなくこの収納室２２内に収まる長さに設定されている。
【００１９】
すなわち、各収納室２２の底部の長さがテーパードブリッスル束１０の長さよりも大きいと、この収納室２２内でテーパードブリッスル束１０が傾斜壁２１側に移動しやすくなり、その結果テーパー部１１の破損を招くことになるため好ましくない。
【００２０】
これら各収納室２２に被せる複数の箱型固定カバー２４は、緩衝材としての機能をも果たすものであり、その材料しては、厚みが０．２〜３．０ｍｍ程度の厚紙またはダンボールが使用される。
【００２１】
この箱型固定カバー２４は断面コ字状で開口部２４ａを有しており、この開口部２４ａは、各収納室２２の底部と略等しい巾および長さを有している。箱型固定カバー２４の両側面の高さは、テーパードブリッスル束１０の直径と同じであることが好ましいが、それよりも数ｍｍ大きくしてもよい。ここで、箱型固定カバー２４の幅がテーパードブリッスル束１０の長さよりも小さいと、テーパードブリッスル束１０の両糸端部を湾曲化させ、テーパー部１１を傷める原因となるため好ましくない。また、箱型固定カバー２４の幅がテーパードブリッスル束１０の長さよりも大きくなると、テーパードブリッスル束１０の固定ができなくなり、輸送、移送時などに発生する振動によって、テーパードブリッスル束１０内の単糸の乱れを生じることなるため好ましくない。
【００２２】
次に、本発明の収納容器に対しテーパードブリッスル束１０を収納するに際しては、まず、図１に示したように、各収納室２３内に、傾斜壁２２側および側壁２３側へテーパー部１１を向けて、複数のテーパードブリッスル束１０を並列させる。この時一列に並べるテーパードブリッスル束１０の全ての向きを、両糸端が収納室２２の両壁面に向く様に配置することが重要であり、テーパードブリッスル束１０の両糸端を、一列に並べられる方向と同じにした場合には、テーパードブリッスル束１０の両糸端を固定することができなくなり、目的とする単糸のバラケ抑制効果が全く得られなくなるため好ましくない。
【００２３】
次に、各収納室２２の上部から、各箱型固定カバー２４の開口部２４ａ側を下向きにして被せることにより、テーパードブリッスル束１０の両糸端部の表面に押圧をかけた状態でテーパードブリッスル束１０を固定させる。
【００２４】
図２〜図３は、上記のようにしてテーパードブリッスル束１０を収納した状態の収納容器を示しており、各テーパードブリッスル束１０は、箱型固定カバー２４の下部と、収納室２２の底部の幅方向の壁面下部とで押圧され、一列に並んだ状態で固定されることになる。
【００２５】
このような収納状態において、各テーパードブリッスル束１０は、各傾斜壁２１と箱型固定カバー２４の側壁との間で押圧保持されるため、輸送、移送などの場合に振動が加わったとしても、束の変形や単糸のバラケを生じることがなく、先端のテーパー化された部分を効果的に保護することができ、植毛加工などの後工程へ効率的に供することが可能となる。
【００２６】
本発明のテーパードブリッスル束の収納容器において、トレー２０における各収納室２２の長さは、４〜８個のテーパードブリッスル束１０が一列に並べられる大きさであることが好ましい。ここで、収納室２２の長さがテーパードブリッスル束１０の３個分以下の大きさとした場合は、製品の乱れはないものの、収納室２２毎に箱型固定カバー２４を必要とすることから、効率が悪くなる。また、収納室２２の長さがテーパードブリッスル束１０が９個以上並ぶ大きさとした場合は、収納容器の強度的な面から収納時の容器の取り扱いが非常に困難となるばかりか、これを改善しようとして収納容器の厚さを大きくすると、振動に対する衝撃緩和効果が小さくなり、結果としてテーパードブリッスル束１０の変形、単糸のバラケおよびテーパー部の損傷などの不具合を招く傾向となる。
【００２７】
また、トレー２０における収納室２２部屋の数は、上記と同じ理由により、２〜８室、特に３〜７室とすることが好ましい。
【００２８】
したがって、本発明のテーパードブリッスル束の収納容器によれば、都合約８〜６４個のテーパードブリッスル束を収納することができ、さらにこの収納容器を大型のダンボール箱などに複数積み重ねて収容することにより、一度に大量のテーパードブリッスル束を効率的に保管または輸送することが可能となる。
【００２９】
そして、収納しておいたテーパードブリッスル束を、例えば歯ブラシの毛先として植毛する後加工工程に供するに際しては、箱型固定カバー２４を手で上方へ持ち上げて取り外すだけで、テーパードブリッスル束を取り出すことができ、取り出されたテーパードブリッスル束は、くずれやテーパー部の欠損が全く生じていないため、束の整え直しを必要とせず、そのままの状態で植毛機にセットすることができ、従来のように手間を要することがなく、植毛した後の品質にも悪影響を及ぼすことがない。
【００３０】
さらに、本発明のテーパードブリッスル束の収納容器によれば、上記した従来の方法で使用していた束崩れ防止カバーや個装袋が不要となり、材料費用が低減できるばかりか、収納に要する工程数が少なく、収納作業を短時間で効率的に行なうことができるため、経済的にも有利であるという効果が得られる。
【００３１】
【発明の効果】
以上説明したように、本発明のテーパードブリッスル束の収納容器によれば、テーパードブリッスル束を保管又は輸送、移送するに際して、テーパードブリッスル束内の単糸がバラケるのを防止しつつ、先端のテーパー化された部分を合理的、経済的に保護することができ、かつ、植毛加工などの後工程へ効率的に供することが可能である。
【図面の簡単な説明】
【図１】図１は本発明のテーパードブリッスル束およびその収納容器の一例を示す斜視説明図である。
【図２】図２は本発明の収納容器にテーパードブリッスル束を収納した状態を示す一部切欠き平面図である。
【図３】図３は図２の矢視Ａ一部切欠き断面図である。
【図４】図４は図２の矢視Ｂ一部切欠き断面図である。
【符号の説明】
１０    テーパードブリッスル束
１１    テーパー部
１２    ゴムバンド
２０    トレー
２１    傾斜壁
２２    収納室
２３    側壁
２４    箱型固定カバー
２４ａ  開口
【図１】
2004182322.tif 000003
【図２】
2004182322.tif 000004
【図３】
2004182322.tif 000005
【図４】
2004182322.tif 000006